(57)【要約】【課題】深さの異なる引出しに対しても、間口の異なる引出しに対しても、自由な位置に取り付け且つ変更できるキャビネット等における引出しのレール構造を提供すること。【解決手段】引出しがレール体４に案内支持されて開閉されるキャビネットにおけるレール構造において、キャビネットの背面板１０には、この背面板１０より前方に突設したレール保持体４ａとレール本体４ｂとから成るレール体４が取付支持されている。レール体４を背面板１０に対し任意の高さ位置に、且つ任意の左右位置に取付支持することで、各種の引出しを好みの設定位置に配設し、且つ変更することができる。【選択図】  図２
2004223010.tif 000002
【特許請求の範囲】
【請求項１】
引出収納本体がレール部に案内支持されて開閉されるキャビネット等における引出しのレール構造であって、キャビネット等の背面構造体には、該構造体より前方に突設した引出し用レール体が支持されていることを特徴とするキャビネット等における引出しのレール構造。
【請求項２】
前記背面構造体が背面を覆う背面板である請求項１に記載のキャビネット等における引出しのレール構造。
【請求項３】
前記背面構造体が支持枠体である請求項１に記載のキャビネット等における引出しのレール構造。
【請求項４】
前記引出し用レール体は前記背面構造体に支持されるレール保持体とレール本体とで構成されている請求項１ないし３の何れかに記載のキャビネット等における引出しのレール構造。
【発明の詳細な説明】
【０００１】
【発明の属する技術分野】
本発明は、引出収納本体がレール部に案内支持されて開閉されるタンスやキャビネット等における引出しのレール構造に関する。
【０００２】
【従来の技術】
従来、タンスやキャビネット等に用いられている引出し等の収納容器は、特許文献１に記載の如く、側板に取付けられたレールにより案内支持されるのが一般的であった。そしてレールの取付け高さ位置を変更する場合に、側板に形成されているレールに相当する多数の引出し受けの中から最適位置にある引出し受けを選択することで対処していた。
【０００３】
【特許文献１】
特開平７−３２７７５９号公報（段落０００８，０００９、図４）
【０００４】
【発明が解決しようとする課題】
しかしながら、上記特許文献１に記載のものは、深さの異なる収納容器に対しては取付高さ位置を替えるだけで対処できるが、収納容器を支持する引出し受けの間隔は変更することができないので、引出し間口の異なるものに対しては何ら対処することができなかった。
【０００５】
本発明は、このような状況に鑑みてなされたものであり、深さの異なる引出しに対しても、間口の異なる引出しに対しても、自由な位置に取り付け且つ変更できるキャビネット等における引出しのレール構造を提供することを目的とするものである。
【０００６】
【課題を解決するための手段】
上記課題を解決するために、本発明のキャビネット等における引出しのレール構造は、引出収納本体がレール部に案内支持されて開閉されるキャビネット等における引出しのレール構造であって、キャビネット等の背面構造体には、該構造体より前方に突設した引出し用レール体が取付支持されていることを特徴としている。
この特徴によれば、引出し用レール体を背面構造体に対し任意の高さ位置に、そして任意の左右位置に取付支持することで、各種の引出しを好みの設定位置に配設且つ変更できる。
【０００７】
本発明のキャビネット等における引出しのレール構造において、前記背面構造体が背面を覆う背面板であることが好ましい。
このようにすれば、背面構造体が背面を覆う背面板であるから、引出し用レール体の取付位置の選択の自由度が大きい。
【０００８】
本発明のキャビネット等における引出しのレール構造において、前記背面構造体が支持枠体であることが好ましい。
このようにすれば、背面構造体が支持枠体であっても、支持枠体の配設状態に応じて引出し用レール体の取付位置を選定、変更できる。
【０００９】
本発明のキャビネット等における引出しのレール構造において、前記引出し用レール体は前記背面構造体に支持されるレール保持体とレール本体とで構成されていることが好ましい。
このようにすれば、レール保持体とレール本体とを別構成にすることで、例えば、レール保持体を強度的に堅牢なもので製作し、レール本体を滑動能力の高い材料を用いて製作することができる。
【００１０】
【発明の実施の形態】
本発明の実施形態について図面を参照して説明する。
【００１１】
図１は本発明の一実施形態に係るレール構造であって、キャビネット内部の背面構造体に一端が取付けられたレール体に引出しが前後移動可能に支持された状態を示す部分斜視図、図２は背面構造体にレール体の一端が取付けられたキャビネット内部を示す部分斜視図である。
【００１２】
図１に示す符号１は横長筐体状のキャビネットであって、このキャビネット１は前方に開口部８を有する複数の収納空間２ａ，２ｂが形成されており、これら収納空間２ａ，２ｂは隔壁５で仕切られている。
【００１３】
収納空間２ａは、片側の垂直な側壁Ｗと、この側壁Ｗに対面する隔壁５の側壁５ａと、側壁Ｗと隔壁５の側壁５ａの間にあって収納空間２ａの奥に垂直に立設した背面構造体として背面を覆う背面板１０と、天井Ｃとから構成されている。
【００１４】
背面板１０の左右位置には、引出収納本体を有する引出し６を前後移動可能に支持するレール体４の一端が所定高さ位置に前方の開口部８側に向けて水平に突設するように取付けられており、隔壁５の側壁５ａには図示しないレール体がレール体４と平行に取付けられている。
【００１５】
一方のレール体４は、断面縦長矩形のレール保持体４ａとその対向する内側面に断面コ字形に折曲形成されたレール本体４ｂとから構成されており、他方のレール体はレール保持体４ａを用いずにレール本体４ｂのみが隔壁５の側壁５ａに対向して取付けられた構成となっている。尚、引出し６の配置によっては、側壁５ａを利用することなく、左右１組のレール体４を用いて、それらの一端を背面板１０左右の所定高さ位置に突設するように取付けることもできる。
【００１６】
次に、本発明のレール構造の変形例に付き図３を参照して説明する。図３はレール体の変形例であって、一方のレールに引出しが支持された状態を示す部分斜視図である。
【００１７】
図３に示す１２は左右対称構造となる一対のレール体の一方を示すものであって、このレール体１２は、板材の上辺を前方に傾斜させて先細に形成すると共に後端に側方に折曲した取付部１２ｂから成るレール保持体１２ａと、レール体１２の対向する側面に取付けられた断面コ字形に折曲形成されたレール本体１２ｃと、レール保持体１２ａの外側にその下辺にそって溶接接合された断面コ字形の補強部材１２ｄとから構成されている。
【００１８】
一対のレール体１２は、それらの取付部１２ｂが背面構造体を構成する支持枠体Ｍに取付けられ、前方の開口部側に向けて水平に突設するように取付けられており、レール体１２のレール本体１２ｃには箱状に構成された引出し１４が４個のローラＲ（２個のみ図示）を介して前後に移動可能に支持されている。
【００１９】
従って、上記のように構成された引出しのレール構造によれば、レール体４，１２を、キャビネット１の背面板１０に対し任意の高さ位置であって、且つ任意の左右位置に取付支持することで、各種の引出しを好みの設定位置に配設することができ、且つ変更することもできる。
【００２０】
また、レール体４，１２の取付部位が背面板であることから、引出し用レール体４，１２の、取付位置の選択の自由度を拡張することができ、レール体４，１２の取付部位が支持枠体Ｍの場合でも、支持枠体Ｍの配設状態に応じて引出し用レール体の取付位置を選定、変更することができる。
【００２１】
更に、レール体４，１２が、それぞれ別構成となるレール保持体４ａ，１２ａと、その対向する内側面に断面コ字形に折曲形成されたレール本体４ｂ，１２ｃとの接合構造で構成されるので、例えば、レール保持体４ａ，１２ａを強度的に堅牢な金属製のもので製作し、レール本体４ｂ，１２ｃを滑動能力の高い低摩擦の樹脂などを使用した材料を用いて個別に製作することができる。
【００２２】
【発明の効果】
本発明は以下の効果を奏する。
【００２３】
（ａ）請求項１項の発明によれば、引出し用レール体を背面構造体に対し任意の高さ位置に、そして任意の左右位置に取付支持することで、各種の引出しを好みの設定位置に配設且つ変更できる。
【００２４】
（ｂ）請求項２項の発明によれば、背面構造体が背面を覆う背面板であるから、引出し用レール体の、取付位置の選択の自由度が大きい。
【００２５】
（ｃ）請求項３項の発明によれば、背面構造体が支持枠体であっても、支持枠体の配設状態に応じて引出し用レール体の取付位置を選定、変更できる。
【００２６】
（ｄ）請求項４項の発明によれば、レール保持体とレール本体とを別構成にすることで、例えば、レール保持体を強度的に堅牢なもので製作し、レール本体を滑動能力の高い材料を用いて製作することができる。
【図面の簡単な説明】
【図１】本発明の一実施形態に係るレール構造であって、キャビネット内部の背面構造体に一端が取付けられたレール体に引出しが前後移動可能に支持された状態を示す部分斜視図である。
【図２】背面構造体にレール体の一端が取付けられたキャビネット内部を示す部分斜視図である。
【図３】レール体の変形例であって、一方のレールに引出しが支持された状態を示す部分斜視図である。
【符号の説明】
１                    キャビネット
２ａ，２ｂ            収納空間
４，１２              レール体
４ａ，１２ａ          レール保持体
４ｂ，１２ｃ          レール本体
５                    隔壁
５ａ                  側壁
６                    引出し
８                    開口部
１０                  背面板（背面構造体）
１２ｂ                取付部
１２ｄ                補強部材
Ｃ                    天井
Ｍ                    支持枠体
Ｒ                    ローラ
Ｗ                    側壁
【図１】
2004223010.tif 000003
【図２】
2004223010.tif 000004
【図３】
2004223010.tif 000005